【手続補正書】
【提出日】平成19年3月2日(2007.3.2)
【手続補正１】
【補正対象書類名】明細書
【補正対象項目名】発明の名称
【補正方法】変更
【補正の内容】
【発明の名称】印刷装置、印刷方法、印刷システム、及び媒体
【手続補正２】
【補正対象書類名】明細書
【補正対象項目名】特許請求の範囲
【補正方法】変更
【補正の内容】
【特許請求の範囲】
【請求項１】  ホストコンピュータ上で動作するアプリケーションソフトで作成されたデータをプリンタへ転送して印刷する印刷装置において、
印刷が実行された際に、その印刷ジョブに係る印刷履歴データを保存する保存手段と、
前記保存手段により保存された印刷履歴データの一覧を表示させる表示制御手段と、
前記表示制御手段により表示された印刷履歴データの一覧から印刷データを選択する選択手段と、
前記選択手段により選択された印刷データを印刷させる印刷制御手段と、
を備えたことを特徴とする印刷装置。
【請求項２】  前記保存手段は、前記印刷履歴データとして、前記印刷ジョブに係るドキュメント名又はファイル名、アプリケーション名、ユーザ名、印刷日時などを保存することを特徴とする請求項１に記載の印刷装置。
【請求項３】  前記選択手段により選択された印刷データの印刷設定値を変更させるべく案内表示させる変更案内手段を備えたことを特徴とする請求項１、又は請求項２に記載の印刷装置。
【請求項４】  前記表示制御手段は、印刷履歴データを印刷頻度の高い順に並べて表示させることを特徴とする請求項１〜３のいずれかに記載の印刷装置。
【請求項５】  前記保存手段は、前記コンピュータの起動時に起動されることを特徴とする請求項１〜４のいずれかに記載の印刷装置。
【請求項６】  前記表示制御手段は、前記コンピュータの起動時に起動されることを特徴とする請求項１〜５のいずれかに記載の印刷装置。
【請求項７】  前記印刷制御手段は、前記選択手段により印刷データが選択された際に該印刷データを作成したアプリケーションを起動し、該アプリケーション上に該印刷データを展開して印刷させることを特徴とする請求項１〜６のいずれかに記載の印刷装置。
【請求項８】  前記印刷制御手段は、前記選択手段により選択された印刷データを作成したアプリケーションが存在しない場合は、他のアプリケーション上に該印刷データを展開して印刷させることを特徴とする請求項１〜７のいずれかに記載の印刷装置。
【請求項９】  ホストコンピュータ上で動作するアプリケーションソフトで作成されたデータをプリンタへ転送して印刷する印刷方法において、
印刷が実行された際に、その印刷ジョブに係る印刷履歴データを保存し、保存された印刷履歴データの一覧を表示させ、表示された印刷履歴データの一覧から印刷データを選択し、選択された印刷データを印刷させることを特徴とする印刷方法。
【請求項１０】  前記印刷履歴データとして、前記印刷ジョブに係るドキュメント名又はファイル名、アプリケーション名、ユーザ名、印刷日時などを保存することを特徴とする請求項９に記載の印刷方法。
【請求項１１】  前記選択された印刷データの印刷設定値を変更させるべく案内表示させることを特徴とする請求項９、又は請求項１０に記載の印刷方法。
【請求項１２】  前記印刷履歴データを印刷頻度の高い順に並べて表示させることを特徴とする請求項９〜１１のいずれかに記載の印刷方法。
【請求項１３】  前記印刷履歴データを保存する処理は、前記コンピュータの起動時に処理待ち状態に設定されることを特徴とする請求項９〜１２のいずれかに記載の印刷方法。
【請求項１４】  前記印刷履歴データの一覧を表示させる処理は、前記コンピュータの起動時に処理待ち状態に設定されることを特徴とする請求項９〜１３のいずれかに記載の印刷方法。
【請求項１５】  前記印刷データを印刷させる処理では、印刷データが選択された際に該印刷データを作成したアプリケーションを起動し、該アプリケーション上に該印刷データを展開して印刷させることを特徴とする請求項９〜１４のいずれかに記載の印刷方法。
【請求項１６】  前記印刷データを印刷させる処理では、選択された印刷データを作成したアプリケーションが存在しない場合は、他のアプリケーション上に該印刷データを展開して印刷させることを特徴とする請求項９〜１５のいずれかに記載の印刷方法。
【請求項１７】  ホストコンピュータ上で動作するアプリケーションソフトで作成されたデータをプリンタへ転送して印刷する印刷システムにおいて、
印刷が実行された際に、その印刷ジョブに係る印刷履歴データを保存する保存手段と、
前記保存手段により保存された印刷履歴データの一覧を表示させる表示制御手段と、
前記表示制御手段により表示された印刷履歴データの一覧から印刷データを選択する選択手段と、
前記選択手段により選択された印刷データを印刷させる印刷制御手段と、
を備えたことを特徴とする印刷システム。
【請求項１８】  前記保存手段は、前記印刷履歴データとして、前記印刷ジョブに係るドキュメント名又はファイル名、アプリケーション名、ユーザ名、印刷日時などを保存することを特徴とする請求項１７に記載の印刷システム。
【請求項１９】  前記選択手段により選択された印刷データの印刷設定値を変更させるべく案内表示させる変更案内手段を備えたことを特徴とする請求項１７、又は請求項１８に記載の印刷システム。
【請求項２０】  前記表示制御手段は、印刷履歴データを印刷頻度の高い順に並べて表示させることを特徴とする請求項１７〜１９のいずれかに記載の印刷システム。
【請求項２１】  前記保存手段は、前記コンピュータの起動時に起動されることを特徴とする請求項１７〜２０のいずれかに記載の印刷システム。
【請求項２２】  前記表示制御手段は、前記コンピュータの起動時に起動されることを特徴とする請求項１７〜２１のいずれかに記載の印刷システム。
【請求項２３】  前記印刷制御手段は、前記選択手段により印刷データが選択された際に該印刷データを作成したアプリケーションを起動し、該アプリケーション上に該印刷データを展開して印刷させることを特徴とする請求項１７〜２２のいずれかに記載の印刷システム。
【請求項２４】  前記印刷制御手段は、前記選択手段により選択された印刷データを作成したアプリケーションが存在しない場合は、他のアプリケーション上に該印刷データを展開して印刷させることを特徴とする請求項１７〜２３のいずれかに記載の印刷システム。
【請求項２５】
コンピュータに、
印刷が実行された際に、その印刷ジョブに係る印刷履歴データを保存する機能と、
保存された印刷履歴データの一覧を表示させる機能と、
表示された印刷履歴データの一覧から印刷データを選択する機能と、
選択された印刷データを印刷させる機能とを実現させるためのプログラムを記憶した媒体。
【請求項２６】  前記印刷履歴データとして、前記印刷ジョブに係るドキュメント名又はファイル名、アプリケーション名、ユーザ名、印刷日時などを保存することを特徴とする請求項２５に記載の媒体。
【請求項２７】  前記選択された印刷データの印刷設定値を変更させるべく案内表示させることを特徴とする請求項２５、又は請求項２６に記載の媒体。
【請求項２８】  前記印刷履歴データを印刷頻度の高い順に並べて表示させることを特徴とする請求項２５〜２７のいずれかに記載の媒体。
【請求項２９】  前記印刷履歴データを保存する機能では、前記コンピュータの起動時に処理待ち状態に設定されることを特徴とする請求項２５〜２８のいずれかに記載の媒体。
【請求項３０】  前記印刷履歴データの一覧を表示させる機能では、前記コンピュータの起動時に処理待ち状態に設定されることを特徴とする請求項２５〜２９のいずれかに記載の媒体。
【請求項３１】  前記印刷データを印刷させる機能では、印刷データが選択された際に該印刷データを作成したアプリケーションを起動し、該アプリケーション上に該印刷データを展開して印刷させることを特徴とする請求項２５〜３０のいずれかに記載の媒体。
【請求項３２】  前記印刷データを印刷させる機能では、選択された印刷データを作成したアプリケーションが存在しない場合は、他のアプリケーション上に該印刷データを展開して印刷させることを特徴とする請求項２５〜３１のいずれかに記載の媒体。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、本発明では、前記印刷制御手段は、前記選択手段により印刷データが選択された際に該印刷データを作成したアプリケーションを起動し、該アプリケーション上に該印刷データを展開して印刷させている。
【手続補正６】
【補正対象書類名】明細書
【補正対象項目名】００１７
【補正方法】変更
【補正の内容】
【００１７】
また、本発明では、前記印刷制御手段は、前記選択手段により選択された印刷データを作成したアプリケーションが存在しない場合は、他のアプリケーション上に該印刷データを展開して印刷させている。